【手続補正書】
【提出日】平成18年11月16日(2006.11.16)
【手続補正１】
【補正対象書類名】特許請求の範囲
【補正対象項目名】全文
【補正方法】変更
【補正の内容】
【特許請求の範囲】
【請求項１】
給電点と開放端とを有するモノポールアンテナと、
前記モノポールアンテナのアンテナ軸に対して垂直方向の成分を有し、前記モノポールアンテナに対して独立した線状導体で構成される無給電素子と、を備え、
前記無給電素子は、前記モノポールアンテナに対して電力の受け渡しが可能な電力受け渡し部を備え、
前記電力受け渡し部は、前記モノポールアンテナの開放端の近傍に配置されることを特徴とするアンテナ。
【請求項２】
前記モノポールアンテナの配置面と同じ面上に前記無給電素子が配置されることを特徴とする請求項１に記載のアンテナ。
【請求項３】
前記モノポールアンテナ及び前記無給電素子が配置される柔軟な誘電体を備えることを特徴とする請求項１又は２に記載のアンテナ。
【請求項４】
前記柔軟な誘電体が透明な絶縁体フィルムで構成され、
前記絶縁体フィルムは、自動車のガラス、又は絶縁体で構成された外装部材に設置されることを特徴とする請求項３に記載のアンテナ。
【請求項５】
前記モノポールアンテナ及び前記無給電素子の少なくとも一方の近傍に配置され、該少なくとも一方に対して独立した第２の線状導体を備えることを特徴とする請求項１から４の何れか１項に記載のアンテナ。
【請求項６】
前記第２の線状導体が、他のアンテナの少なくとも一部であることを特徴とする請求項５に記載のアンテナ。
【請求項７】
更に、他のアンテナを備え、
前記他のアンテナは、テレビ電波受信用のアンテナであることを特徴とする請求項１から４の何れか１項に記載のアンテナ。
【請求項８】
給電点と開放端とを有するモノポールアンテナと、前記モノポールアンテナのアンテナ軸に対して垂直方向の成分、及び前記モノポールアンテナの開放端の近傍に配置され、前記モノポールアンテナに対して電力の受け渡しが可能な電力受け渡し部を有し、前記モノポールアンテナに対して独立した線状導体で構成される無給電素子と、を備えるアンテナと、
前記給電点に接続され、前記アンテナに信号を供給又は前記アンテナで受信した信号を外部に引き出すコネクタ又はケーブルと、を備えることを特徴とするアンテナ装置。
【請求項９】
給電点と開放端とを有するモノポールアンテナと、前記モノポールアンテナのアンテナ軸に対して垂直方向の成分、及び前記モノポールアンテナの開放端の近傍に配置され、前記モノポールアンテナに対して電力の受け渡しが可能な電力受け渡し部を有し、前記モノポールアンテナに対して独立した線状導体で構成される無給電素子と、を備えるアンテナと、
前記給電点に接続され、前記アンテナに信号を供給又は前記アンテナで受信した信号を外部に引き出すコネクタ又はケーブルと、
前記コネクタ又はケーブルに信号を供給、又は前記コネクタ又はケーブルからの信号を処理する処理手段と、を備えることを特徴とする処理装置。
【請求項１０】
前記処理装置が、ナビゲーション装置であることを特徴とする請求項９に記載の処理装置。
【手続補正２】
【補正対象書類名】明細書
【補正対象項目名】発明の名称
【補正方法】変更
【補正の内容】
【発明の名称】アンテナ、アンテナ装置、及び処理装置
【手続補正３】
【補正対象書類名】明細書
【補正対象項目名】０００１
【補正方法】変更
【補正の内容】
【０００１】
本発明はアンテナ、アンテナ装置、及び処理装置に関し、特に、自動車等の移動体において、移動体のデザインを損ねることなく移動体に取り付けられて、円偏波を含む電波を受信、或いは送信、又は送受信することが可能な、小型で軽量のアンテナ、アンテナ装置、及び処理装置に関する。
【手続補正４】
【補正対象書類名】明細書
【補正対象項目名】０００９
【補正方法】変更
【補正の内容】
【０００９】
そこで、本発明は、アンテナを薄型化して車両の内部に搭載可能とし、車両のデザインを損なう虞を無くすと共に、アンテナが視界を遮る虞がなく、更に、構造が簡易で、主に円偏波を良好に送受信することが可能なアンテナ面積の小さいアンテナ、アンテナ装置、及び処理装置を提供することを目的としている。
【手続補正５】
【補正対象書類名】明細書
【補正対象項目名】００１０
【補正方法】変更
【補正の内容】
【００１０】
前記目的を達成する本発明のアンテナ、アンテナ装置、及び処理装置は、以下の第１から第３の形態をとることができる。
【手続補正６】
【補正対象書類名】明細書
【補正対象項目名】００１１
【補正方法】変更
【補正の内容】
【００１１】
第１の形態は、給電点と開放端とを有するモノポールアンテナと、モノポールアンテナのアンテナ軸に対して垂直方向の成分を有し、モノポールアンテナに対して独立した線状導体で構成される無給電素子とを備え、無給電素子は、モノポールアンテナに対して電力の受け渡しが可能な電力受け渡し部を備え、電力受け渡し部は、モノポールアンテナの前記開放端の近傍に配置されることを特徴とするアンテナである。
【手続補正７】
【補正対象書類名】明細書
【補正対象項目名】００１２
【補正方法】変更
【補正の内容】
【００１２】
第２の形態は、給電点と開放端とを有するモノポールアンテナと、モノポールアンテナのアンテナ軸に対して垂直方向の成分、及びモノポールアンテナの開放端の近傍に配置され、モノポールアンテナに対して電力の受け渡しが可能な電力受け渡し部を有し、モノポールアンテナに対して独立した線状導体で構成される無給電素子とを備えるアンテナと、給電点に接続され、アンテナに信号を供給又はアンテナで受信した信号を外部に引き出すコネクタ又はケーブルとを備えることを特徴とするアンテナ装置である。
【手続補正８】
【補正対象書類名】明細書
【補正対象項目名】００１３
【補正方法】変更
【補正の内容】
【００１３】
第３の形態は、給電点と開放端とを有するモノポールアンテナと、モノポールアンテナのアンテナ軸に対して垂直方向の成分、及びモノポールアンテナの開放端の近傍に配置され、モノポールアンテナに対して電力の受け渡しが可能な電力受け渡し部を有し、モノポールアンテナに対して独立した線状導体で構成される無給電素子とを備えるアンテナと、給電点に接続され、アンテナに信号を供給又はアンテナで受信した信号を外部に引き出すコネクタ又はケーブルと、コネクタ又はケーブルに信号を供給、又はコネクタ又はケーブルからの信号を処理する処理装置とを備えることを特徴とする処理装置である。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】